(57)【要約】【課題】  液体及びその他の物を入れる容器内面の形状を変え、容器自らに攪拌能力を備え、容器を回転、反転させる事により、内容物が穏やかにかつ速やかに攪拌される容器を提供する。【解決手段】  液体及びその他の物を入れる容器の内側に、容器底中央部から外側に向かって延びる数本の突起を作る。容器の中心線を回転軸として、容器を右左反復に容器を外周方向に反転しながら回転させる。この時、内容物は慣性に従い止まろうとする。容器の底だけが回転するので内容物は容器の底にある突起にぶつかり内容物は穏やかに攪拌、上昇する。さらにこの突起により模様を描くことも可能である。また突起を容器内面の壁面に作ると容器の攪拌力はさらに倍化される。このように自らが、穏やかな対流により速やかに内容液を攪拌する事の出来る容器を特徴とする。【選択図】  図１
2009208832.tif 000002
【特許請求の範囲】
【請求項１】
複数の液体及びその他の物を入れる容器にあって、容器内側の底面に、凹凸形状の模様を形成することを特徴とした容器。
【請求項２】
複数の液体及びその他の物を入れる容器にあって、容器内側の壁面に凹凸形状の模様を形成する事を特徴とした請求項１の容器
【請求項３】
当該容器において、容器底面及び壁面の凹凸形状は、内面側及び外面側に形成することを特徴とした請求項１，２の容器。
【発明の詳細な説明】
【技術分野】
【０００１】
本発明は液体その他内容物を速やかに攪拌する為に、容器の底面及び壁面に凹凸の形状を有する容器に関するものである。
【背景技術】
【０００２】
従来の容器は、容器の内面が平坦なため、複数の混合された液体及び内容物を容器に入れて静止すると、比重の大きい固形物や液体は底に沈む。この液体を攪拌する場合は容器を揺すり内容液を回転させたり、容器を密閉して逆さにして振ったり、杓子・攪拌棒などでかき混ぜる方法か、動力付の攪拌機などを使用する等の方法で行っていた。
【０００３】
しかし、例えば果実酒を家庭で作る場合、果実、焼酎、氷砂糖の入った円筒型広口びん容器を抱いて内容液を攪拌しようとしても、底に溜まった氷砂糖の溶けた比重の大きな液は攪拌されず底の方をゆっくりと回転するのみである。そればかりか上部は激しく攪拌され、酒にとって重要なまろやかさを失う恐れも出てくる。さらに老人や子供が重たい容器を抱えて揺するのは重労働であり危険でもある。小さな杓子やお玉杓子を使うこともあるがそれぞれ不具合が多かった。
【０００４】
塗料も使用前に攪拌する必要があるが、家庭では底からの完全な攪拌は困難であり、攪拌棒を用いて攪拌する場合、攪拌棒に付いた塗料の置き場や後始末にも困っていた。    
【０００５】
実験などでビーカー等の内容液を攪拌する場合、容器を揺すっても完全な攪拌は出来ない場合も多く、各種攪拌棒を用いる等の方法も採られているが、いずれも不具合が多かった。  
【０００６】
容器内の液体を攪拌する方法として、特許文献1(特開平５−154368号)、特許文献2(特開平９−327618号)、特許文献3(特開平１１−147032号)等があるが、いずれも大きな装置を用いたり、動力を用いたりするもので人の手による手軽な攪拌が出来ない。    
【特許文献１】特許公開平５−１５４３６８号
【特許文献２】特許公開平９−３２７６１８号
【特許文献３】特許公開平１１−１４７０３２号
【発明の開示】
【発明が解決しようとする課題】
【０００７】
一般家庭で果実酒を作る場合、容器に焼酎、果実、氷砂糖を投入する。数日後、溶けた氷砂糖の液は比重が大きいので底にたまる。美味しい果実酒を造るにはこの液を混合する必要があるが、容器を抱えて揺すってみても底にたまった砂糖の溶けた液は容器の底をクルクルとゆっくり回転するのみであり、うまく攪拌する事はできなかった。
【０００８】
重い果実酒の容器を老人や子供が抱えて揺するのは重労働であり、危険でもあった。
【０００９】
さらに、このような方法では上に浮いた果実と焼酎の部分は激しく攪拌され、焼酎のまろやかさが失われる可能性が大きく、果実から種や皮、崩れた実などが出て果実酒が濁る原因にもなっていた。
【００１０】
静止し時間が経過した容器内の各種混合液において、比重の大きな液体や固体は沈殿し底にたまる。これを攪拌する場合、攪拌棒を用いても底に沈殿した物質まで攪拌する事は困難な事が多かった。      
【００１１】
塗料を攪拌する場合、業務用のように電動の攪拌機を使って攪拌する以外、家庭で攪拌棒を使っても容器の底から完全に攪拌するのは困難であり、又塗料も飛散しやすく、さらに塗料の付いた攪拌棒の処理にも困っていた。  
【００１２】
ビーカー等を用いて液体の実験をする場合、攪拌する必要は頻繁にある。多くの場合はビーカー等を手に持って揺するが、内容液の量が多くなると揺するだけでは攪拌が困難であり、内容液飛散の恐れもある。内容液の攪拌に攪拌棒などを使用すると、攪拌棒を取り出す時に内容液が飛散したり、攪拌棒に付着して液が容器外に持ち出される恐れもある。攪拌棒を使用しない密閉した状態での攪拌は出来ない。
【課題を解決するための手段】
【００１３】
本発明は上記の課題を解決するために発明されたものである。
図1，図２に示すとおり、液体やその他の物を入れる容器1において、容器1の底面に、液体やその他の内容物の流れが当たると上昇又は乱流の流を起こす中央部から外側に向かって延びる複数の直線あるいは曲線の又は単独の突起2を造る。
【００１４】
図4に示す通り、容器1を揺すり液体やその他の内容物を回転させるか、容器の中央部3を中心として、容器1の円周方向に回転、又は反転を行うと液体やその他の内容物は突起2に当たり上昇の流れa、又は乱流bの流れが起きる。このことで液体やその他の内容物が攪拌される、攪拌能力を有した容器である。
【００１５】
また、図１，図２に示すとおり、液体やその他の物を入れる容器１において、容器壁面の内側に、液体やその他の内容物の流れが当たると上昇又は乱流の流を起こす突起４を、一つ又は複数作る。
【００１６】
図５に示す通り、容器１を揺すり液体やその他の内容物を回転させるか、容器の中央部3を中心として、容器１の円周方向に回転、又は反転を行うと液体やその他の内容物は突起４に当たり上昇の流れｃ、又は乱流ｄの流れが起きる。このことで液体やその他の内容物が攪拌される、攪拌能力を有した容器である。
【００１７】
当該容器1における突起２及び突起４は各々単独でも攪拌の作用がある。
【００１８】
しかし当該容器１における突起２及び突起４は図１、図２のごとく併用する事により、攪拌に相乗効果が生まれ、より速やかに攪拌される。
【００１９】
図６に示す通り、当該容器1の底面と壁面の突起は直線あるいは曲線、あるいは単独の突起であり様々な模様を描く事が出来る。このように、攪拌の為の突起により模様を描く事の出来る容器１である。    
【００２０】
さらに、上記に記載した突起4と同様に容器の底面及び壁面の突起を凹にしても撹拌効果は多少小さくなるが、内容物の撹拌は可能な容器となる。
【発明の効果】
【００２１】
当該容器に焼酎、果実、氷砂糖を投入し、果実酒を製造し、氷砂糖が溶け出したころ攪拌するが、この場合、当該容器と従来の容器と比較すると、従来の容器より速やかに完全な攪拌が可能になった。
【００２２】
非力な子供や老人、女性でも楽に安全に、重い果実酒の攪拌が可能になった。        
【００２３】
本発明の容器に塗料を入れ、塗料を攪拌すると容器底面から手軽に攪拌される。この時容器の開封、密封に関わらず穏やかに攪拌されるので塗料の飛散の恐れが無い。さらに攪拌棒を用いないので攪拌棒の後始末に心を悩ませる必要も無い。
【発明を実施するための最良の形態】
【００２４】
第１から第３までの発明の、液体及びその他の物を入れる容器内側底面及び壁面の形状を得る方法は、容器を成形、及び形成加工する方法の他にも、液体及びその他の内容物の流れが当たると、内容物に上昇及び乱流の流れが発生する直線あるいは曲線の突起を作りその突起を通常の容器内側底面に固定する方法もある。
【００２５】
さらには、液体及びその他内容物の流れが当たると上昇及び乱流の流が起きる外側から内側に延びる直線あるいは曲線の突起を表面に持つ板を、通常の容器に固定することも可能である。
【００２６】
内容物の種類、及び容器の使用方法は様々であるので、適切であるならば、第１、第２、第３の発明の容器、突起、及び平板の素材は問わない。又、成形、形成方法も問わない。
【００２７】
第１の発明の容器内側底面の凹凸模様の形状は、紐状、四角型、三角型、などいずれも可能であり、形状は問わない。  
【００２８】
第２の発明の容器内側壁面の凹凸形状の模様は、液体及びその他内容物の流れが当たると上昇、又は乱流の流れを起すものであれば形状や素材は問わない。
【００２９】
第３の発明の容器底面及び壁面にの内側及び外側の凸凹形状の模様は、液体その他の内容物の流れが当たると上昇、または乱流の流れを起すものであればその形状や素材は問わない。 
【実施例１】
【００３０】
果実酒用の広口びんの内側底及び壁面の突起の模様は、例えば梅の花、イチゴの実、カリンの実などを描いておくと、梅酒であれば梅の模様のびんを選んで漬け込む。またイチゴ酒やカリン酒用に銀の突起で模様を描けば、美しい果実酒びんに仕上がり健康にもよく、装飾としても喜ばれる。
【実施例２】
【００３１】
果実酒用のびんの場合、簡便な回転台も添えて販売すれば使用者は容器を手で下げる必要も無く、さらに楽な攪拌が可能となる。      
【実施例３】
【００３２】
缶の底に突起を作る場合、容器底の外周より少し内側から突起を作れば、缶の製造機械の小さな改良で対応でき、缶の製造コストも大幅には上がらないと思われる。
【実施例４】
【００３３】
ビーカー、フラスコなどに突起を作ると、容器内の液体の量が多くなっても攪拌棒を用いる必要も無く、また密封したままでも、容器を揺すって内容液を回転させるだけで、又容器を回転や反転するだけで、速やかに確実に攪拌が完了する。また攪拌棒を用いないので異物混入の恐れも、内容液が失われる恐れも無い。
【実施例５】
【００３４】
本発明の容器を鍋に利用すると、焦げやすい内容物を入れて火にかけた場合でも、鍋を回転や反転するだけで、なべ底全体の焦げやすい部分が浮いて攪拌され、新たな内容物と入れ替わるので焦げにくくなる。又、混ぜ難い内容物でも鍋を回転や反転するだけで簡単に混ぜ合わす事が可能となる。
【図面の簡単な説明】
【００３５】
【図１】本発明の正面図
【図２】A-A’断面図
【図３】容器内側底面斜視図
【図４】容器内側底面突起の詳細図と液体の流れを示す模試図
【図５】容器内側壁面突起の詳細図と液体の流れを示す模試図
【図６】底面突起により梅の花を描いた図
【符号の説明】
【００３６】
１  発明の容器
２  容器底の突起
３  容器底面の中央部
４  容器内側壁面の突起
a ，b.  水流1
ｃ，ｄ  水流２
→ｅ  容器の回転、反転方向  
【図１】
2009208832.tif 000003
【図２】
2009208832.tif 000004
【図３】
2009208832.tif 000005
【図４】
2009208832.tif 000006
【図５】
2009208832.tif 000007
【図６】
2009208832.tif 000008